(57)【要約】【課題】内周面に凹凸を有する下穴を短時間で高精度の仕上げ穴に切削加工することを可能とする方法を得る。【解決手段】工具保持装置により保持される基端部とは反対側の自由端部に、下穴の内周面を切削する切刃３０とそれより基端部側に位置する２つ以上ののガイドパッド３２とを備えた切削工具２０を使用する。切削工具２０を自由端側から下穴に進入させ、切刃３０に内周面の中仕上げ加工を行わせ、形成された中仕上げ穴の内周面に２つのガイドパッド３２を摺接させて切削工具２０のたわみを規制する。切刃３０が下穴の反対側に突出してたわみが解消された状態の切削工具２０を後退させ、ガイドパッド３２が中仕上げ穴の内周面に接触しない状態で、切刃３０に中仕上げ穴の内周面を切削させ、仕上げ穴とする。中仕上げ加工用と仕上げ加工用との２つの切刃を備えた切削工具の使用も可能である。【選択図】図３
2014054677.tif 000002
【特許請求の範囲】
【請求項１】
工具保持装置に片持ち状態で保持させた切削工具により、被加工物の下穴の内周面を仕上げ加工する方法であって、
前記切削工具として、前記工具保持装置により保持される基端部とは反対側の自由端部に、前記下穴の内周面を切削する１つ以上の切刃と、その切刃による切削の基準となる基準穴の内周面に摺接する２つ以上のガイドパッドとを備えたものを使用し、
当該切削工具と前記基準穴とが同軸に対向する状態で、切削工具と前記被加工物とを相対回転させつつ切削工具を前記自由端部側から前記下穴に進入させ、前記１つ以上の切刃の１つに下穴の内周面を切削加工させて中仕上げ穴を形成させるとともに、前記基準穴の内周面の周方向に互いに隔たった２カ所に、前記２つ以上のガイドパッドのうちの２つである２ガイドパッドをそれぞれ摺接させることにより、前記切刃の１つに対する切削抵抗に基づく当該切削工具のたわみ量を設定量に規制した状態で、前記１つ以上の切刃を前記下穴に対して予め定められた前進端位置まで相対的に前進させる中仕上げ加工工程と、
その中仕上げ加工工程の実行後、当該切削工具の切削抵抗に基づくたわみを解消するたわみ解消工程と、
そのたわみ解消工程の実行後、当該切削工具を前記中仕上げ穴に対して相対的に後退させ、前記２ガイドパッドが前記基準穴の内周面に接触せず、前記前記１つ以上の切刃のうち前記中仕上げを行った切刃自体、あるいは別の切刃が前記中仕上げ穴の内周面を切削して仕上げ穴を形成する状態で、その仕上げ穴から抜け出すまで後退させる仕上げ加工工程と
を含むことを特徴とする下穴の仕上げ加工方法。
【請求項２】
前記切削工具として、前記２つ以上のガイドパッドが前記１つ以上の切刃より前記基端部側に位置するものを使用し、前記１つ以上の切刃の１つにより下穴の内周面を切削加工させて形成した中仕上げ穴自体を前記基準穴として、前記中仕上げ加工工程，前記たわみ解消工程および前記仕上げ加工工程を実施する請求項１に記載の下穴の仕上げ加工方法。
【請求項３】
前記たわみ解消工程が、前記１つ以上の切刃の１つを、前記下穴の切削工具進入側の開口端である第１開口端とは反対側の第２開口端から突出するまで前進させる工程である請求項１または２に記載の下穴の仕上げ加工方法。
【請求項４】
前記たわみ解消工程が、前記１つ以上の切刃の１つを前記前進端位置において停止させた状態で、その切刃の１つに、下穴の内周面を当該切削工具のたわみが解消されるまで切削加工させる工程である請求項１または２に記載の下穴の仕上げ加工方法。
【請求項５】
前記切削工具として、その切削工具の中心軸線まわりの中心角の９０度より大きい範囲に分散して位置する３つ以上のガイドパッドを備えたものを使用し、それら３つ以上のガイドパッドを当該切削工具の中心軸線の位置出しに使用するとともに、それら３つ以上のガイドパッドのうちの２つを前記２ガイドパッドとして機能させる請求項１ないし４のいずれかに記載の下穴の仕上げ加工方法。
【請求項６】
前記切削工具として、その切削工具の中心軸線まわりの中心角の１２０度間隔の位置にある３つのガイドパッドを備えるとともに、それら３つのガイドパッドのうちの周方向において互いに隣接する２つの間に前記切刃を１つ備えたものを使用し、それら３つのガイドパッドのうちで、間に前記１つの切刃が設けられていない２つを、前記２ガイドパッドとして機能させる請求項１ないし４のいずれかに記載の下穴の仕上げ加工方法。
【請求項７】
前記切削工具として、その切削工具の中心軸線まわりの中心角の９０度間隔の４つの位置のうちの互いに隣接する２つの位置にそれぞれ前記２ガイドパッドの１つずつを備えるとともに、ガイドパッドを備えない２つの位置にそれぞれ前記切刃を備えたものを使用し、それら切刃のうち、当該切削工具の前記下穴に対する相対回転方向において前記ガイドパッドに先行する切刃である第１切刃に前記中仕上げ加工工程を実行させ、その第１切刃に先行する切刃である第２切刃に前記仕上げ加工工程を実行させる請求項１ないし４のいずれかに記載の下穴の仕上げ加工方法。
【請求項８】
前記被加工物を回転させることなく前記切削工具を回転させて、前記中仕上げ加工工程および前記仕上げ加工工程を実施する請求項１ないし７のいずれかに記載の下穴の仕上げ加工方法。
【発明の詳細な説明】
【技術分野】
【０００１】
本発明は、下穴の内周面を切削により仕上げ加工する方法に関するものであり、特に、鋳造物の鋳抜き穴のように、切削工具に対する切削抵抗の変化が大きい穴加工を高精度でしかも能率良く行い得る切削加工方法に関するものである。
【背景技術】
【０００２】
寸法精度の低い下穴を、要求精度を満たし得る切削加工穴に仕上げるためには、従来、荒切削加工および仕上げ切削加工の２工程を必要とし、加工所要時間が長くなることを避け得なかった。その上、場合によっては荒加工用の設備と仕上げ加工用の設備との両方が必要となり、設備費用も増大することがあった。
【０００３】
この問題に対処するための対策の一つとして、１２０度の角度間隔で３つの切刃を備えた切削工具が使用されており、これを使用すれば、切削工具全体として切削抵抗の半径方向成分がバランスし、目的を達成し得る場合がある。
しかしながら、被加工物と切削工具との相対回転位置の変化につれて切削工具全体に対する切削抵抗が変動する場合、例えば、鋳造物の下穴のように内周面に凹凸が存在する場合には、充分な加工精度を得ることができなかった。
【発明の概要】
【発明が解決しようとする課題】
【０００４】
本発明は、上記の問題を解決することを目的として、工具保持装置に片持ち状態で保持させた切削工具により、被加工物の下穴の内周面を仕上げ加工する新しい方法を得ることを課題として為されたものである。
【課題を解決するための手段】
【０００５】
本発明に係る下穴の仕上げ加工方法は、上記課題を解決するために、切削工具として、工具保持装置により保持される基端部とは反対側の自由端部に、下穴の内周面を切削する１つの以上の切刃と、その切刃による切削の基準となる基準穴の内周面に摺接する２つ以上のガイドパッドとを備えたものを使用し、(a)当該切削工具と基準穴とが同軸に対向する状態で、切削工具と被加工物とを相対回転させつつ切削工具を自由端部側から下穴に進入させ、前記１つ以上の切刃の１つに下穴の内周面を切削加工させて中仕上げ穴を形成させるとともに、前記基準穴の内周面の周方向に互いに隔たった２カ所に、前記２つ以上のガイドパッドのうちの２つである２ガイドパッドをそれぞれ摺接させることにより、前記切刃の１つに対する切削抵抗に基づく当該切削工具のたわみ量を設定量に規制した状態で、前記１つ以上の切刃を下穴に対して予め定められた前進端位置まで相対的に前進させる中仕上げ加工工程と、(b)その中仕上げ加工工程の実行後、当該切削工具の切削抵抗に基づくたわみを解消するたわみ解消工程と、(c)そのたわみ解消工程の実行後、当該切削工具を中仕上げ穴に対して相対的に後退させ、前記２ガイドパッドが基準穴の内周面に接触せず、前記１つ以上の切刃のうち前記中仕上げを行った切刃自体、あるいは別の切刃が中仕上げ穴の内周面を切削して仕上げ穴を形成する状態で、その仕上げ穴から抜け出すまで後退させる仕上げ加工工程とを含むことを特徴とする。
【０００６】
本発明に係る下穴の仕上げ加工方法においては、工具保持装置により保持される基端部とは反対側の自由端部に、下穴の内周面を切削する１つ以上の切刃と、基準穴の内周面に摺接して切削工具をガイドする２つ以上のガイドパッドとを備えたものが使用される。
基準穴としては、加工すべき下穴とは別に高精度で形成された穴（勿論、仕上げ穴と同軸であることが必要である）を使用することも可能であるが、１つ以上の切刃の１つによる下穴の中仕上げ加工により形成された中仕上げ穴自体を基準穴として使用することも可能である。すなわち、切削工具として、２つ以上のガイドパッドを１つの以上の切刃より基端部側に位置するものを使用し、１つの以上の切刃の１つにより下穴の内周面を切削加工させて形成した中仕上げ穴自体を基準穴として、中仕上げ加工工程，たわみ解消工程および仕上げ加工工程を実施するのである。この態様においては、１つ以上の切刃は２つ以上のガイドパッドより自由端側に位置しているため、中仕上げ加工工程において、切削工具が自由端側から下穴に進入させられる場合、まず１つ以上の切刃のうちの１つが下穴の内周面を切削して中仕上げ穴を形成し、その中仕上げ穴の内周面に２ガイドパッドが摺接して、１つの切刃が受ける切削抵抗を中仕上げ穴の内周面に伝達する。切削工具は、２ガイドパッドにおいて中仕上げ穴の内周面に受けられることにより、切削抵抗に起因するたわみ量が設定量に抑制されつつ中仕上げ加工を行うのである。
最も単純な構造の切削工具として、１つの切刃と２つのガイドパッドとのみ備え、１つ切刃による切削時にその切刃が受ける切削抵抗が２つのガイドパッドを介して中仕上げ穴の内周面により受けられるものを使用することができる。勿論、１つの切刃と２つのガイドパッドとは、１つの切刃が受ける切削抵抗を２つのガイドパッドが中仕上げ穴の内周面に有効に伝達し得る周方向位置に設けられることが必要である。
なお、下穴の中仕上げ加工により形成された中仕上げ穴自体を基準穴として使用する場合には、中仕上げ加工を開始する前は未だ基準穴が存在していないため、前記「当該切削工具と基準穴とが同軸に対向する状態で」とは、「切削工具の軸線が仕上げ穴の軸線として想定されている直線上に位置する状態で」ということである。
【０００７】
前記たわみ解消工程は、前記１つ以上の切刃の１つを前記下穴の切削工具進入側の開口端である第１開口端とは反対側の第２開口端から突出するまで前進させる工程とすることができる。中仕上げ加工を行った切刃が第２開口端から突出すれば、その切刃に作用していた切削抵抗が無くなり、切削工具のたわみが解消されるのである。
この場合、下穴が、互いに反対側の第１開口端と第２開口端とを備えたものである態様が典型的な態様であるが、下穴を含む穴全体が貫通穴であることは不可欠ではない。例えば、穴全体は行き止まり穴であっても、下穴部の底部側にその下穴部より大径の大径部が設けられており、その結果、下穴部が第１開口端と第２開口端とを備えたものとなっていればよいのである。
また、下穴が第１開口端とは反対側に第２開口端を備えないものである場合でも、本発明は実行可能である。前記中仕上げ加工工程の実行後、前記１つ以上の切刃の１つを前記前進端位置において停止させた状態で、その切刃の１つに、下穴の内周面を、当該切削工具のたわみが解消されるまで切削加工させる工程をたわみ解消工程とすればよいのできる。切削工具の下穴に対する相対的な前進を停止させた状態で、切削工具と下穴との相対回転を続行させれば、内周面の軸方向の１か所における直径が大きくなって、切削工具のたわみが解消されるのであり、その後、切削工具を下穴に対して相対的に後退させれば、仕上げ加工工程が開始されるのである。
【０００８】
切削工具のたわみが解消されれば、２ガイドパッドが基準穴（上記のように中仕上げ穴である場合もある）の内周面から離間する一方、中仕上げ加工を行った切刃または別の切刃が中仕上げ面を仕上げ面に加工するための半径方向位置に位置する状態となる。中仕上げ面を仕上げ面に加工する際の加工代は、切刃と２ガイドパッドとの半径方向および周方向における相対位置により変化するが、いずれにしても無負荷状態（切削工具がたわんでいない状態）における切刃の旋回半径と２ガイドの少なくとも一方の旋回半径との差に基づいて決まる。例えば、仕上げ加工を行う切刃が中仕上げ加工を行った切刃自体である場合は、仕上げ加工の切削加工代が上記２ガイドパッドにより規定されるたわみ量となり、このたわみ量を、仕上げ加工時における切削工具のたわみを無視し得、かつ、実質的な切削が行われることを保証し得る程度に小さくすればよい。また、仕上げ加工を行う切刃が中仕上げ加工を行った切刃とは異なる場合であっても、それら切刃の半径方向における相対位置を、仕上げ加工を行う切刃の切削抵抗に基づく半径方向変異が無視し得るほど小さく、かつ、実質的な切削が行われることを保証し得る相対位置に設定することが可能である。いずれにしても、仕上げ面の寸法を十分に高くすることができる。
【０００９】
さらに付言すれば、本発明は、以上説明したように、鋳抜き穴等内周面の凹凸が大きい穴の内周面を精度良く仕上げることができる方法を得ることを直接の目的として為されたものであるが、その後の実験により、例えば、下穴が切削加工により形成されたものであっても、キー溝，潤滑用溝のように、内周面の一部に凹部が存在することにより、切削抵抗の半径方向成分の変動が激しい下穴の加工に使用しても十分効果が得られることが判明した。この効果は、中仕上げ穴自体を基準穴とするのではなく、別の穴を基準穴とし、その基準穴が内周面の一部に凹部が存在しないものである場合に特に顕著である。したがって、本発明は、鋳抜き穴等の仕上げ加工に限定されるものではない。
【発明の効果】
【００１０】
本発明に係る加工方法によれば、仕上げ加工時に、切削抵抗に起因する切削工具および工具保持装置のたわみに基づく切刃の半径方向変位を、切削工具および工具保持装置の剛性により、無視し得るほど小さく保つことが可能であり、仕上げ穴の寸法精度および位置精度を所望の高さまで高めることができる。
しかも、切削工具と下穴とを軸方向に相対的に１往復させればよいため、加工時間の延長や設備コストの上昇を良好に回避することができる。
【図面の簡単な説明】
【００１１】
【図１】本発明の一実施形態である下穴の仕上げ加工方法の実施に使用される切削工具を、その切削工具の回転方向において第１段加工部の切刃の前方に位置するガイドパッドを煩雑さを避けるために省略するとともに、第２段加工部の面取り切刃を段部切刃に対してその切削工具の回転方向後方へ１２０°回転させて示す正面図である。
【図２】図１における第１段加工部と第２段加工部とを拡大して示す正面図である。
【図３】上記切削工具の第１段加工部の図２におけるＡ矢視図である。
【図４】上記切削工具の第２段加工部の図２におけるＢ−Ｂ断面図である。
【図５】上記切削工具の図２におけるC矢視図である。
【図６】上記切削工具の図５におけるD−D断面図である。
【図７】上記切削工具のガイドパッド近傍における切屑排除の機能を説明するための図である。
【図８】上記切削工具により加工された段付仕上げ穴を示す正面断面図である。
【図９】上記切削工具による段付仕上げ穴の加工精度向上原理を説明するための説明図である。
【図１０】上記切削工具による段付下穴の中仕上げ加工時における切刃に隣接するガイドパッドの移動イメージを示す図である。
【図１１】本発明の別の実施形態である下穴の仕上げ加工方法における加工精度向上原理を説明するための説明図である。
【図１２】本発明のさらに別の実施形態である下穴の仕上げ加工方法に使用される切削工具を示す図１に相当する正面図である。
【図１３】図１２に示す切削工具の先端部を拡大して示す図２に相当する正面図である。
【図１４】図１３におけるF矢視図である。
【図１５】図１２に示す切削工具による下穴の仕上げ加工方法における加工精度向上原理を説明するための説明図である。
【発明の実施の形態】
【００１２】
以下、本発明のいくつかの実施形態を、図を参照しつつ詳しく説明する。なお、本発明は、下記実施形態の他、当業者の知識に基づいて種々の変更を施した態様で実施することができる。
【００１３】
まず、図１ないし図１０に基づいて第１実施形態を説明する。本実施形態は、アルミニウム製の鋳造物に形成された図８に二点鎖線で示す段付下穴２の仕上げ加工を１つの切削工具により行い、段付仕上げ穴４に仕上げる形態である。段付下穴２には、予め面取り８が形成されており、本実施形態においては、小径部１０および大径部１２の内周面の仕上げ加工と、段付き部の肩面１４およびヌスミ１６と、大径部１２の開口端の面取り１８との切削加工が行われる。また、図示は省略するが、小径部１０および肩面１４と、大径部１２の内周面と、直径方向に隔たった２カ所ずつに、潤滑用溝となるべき凹部が形成されており、これらの箇所において切削が断続する。
【００１４】
図１に、第１実施形態において使用される切削工具２０の全体を示すが、本切削工具２０は、図示を省略する工具保持装置により保持される基端部としてのテーパシャンク２２を備え、自由端側に切削加工部を備えている。切削加工部は、段付下穴の小径部を加工する第１段加工部２４と大径部を加工する第２段加工部２６とを備えている。被加工物たる鋳造物を回転させてもよいが、本実施形態においては切削工具２０が回転させられるものとする。
【００１５】
第１段加工部２４は、図２および図３から明らかなように、１つの切刃３０と３つのガイドパッド３２とを備えている。３つのガイドパッド３２は、工具本体３４の外周部に１２０°の角度間隔で配設され、それら３つのガイドパッド３２のうちの互いに隣合う２つの間に１つの切刃３０が配設されており、ガイドパッド３２の１つと切刃３０とは１８０°の角度間隔で設けられ、工具本体３４の一直径上に位置している。切刃３０は小径部１０の内周面を切削加工するものであり、ガイドパッド３２は切刃３０の切削加工により形成された小径部１０の内周面上を摺動して切削工具２０のたわみを微小量に規制するものである。
【００１６】
切刃３０は、カートリッジ３６に着脱可能に取り付けられた切削チップ３８によって形成されており、カートリッジ３６が締付ねじ４０によって工具本体３４の取付座４２に固定されるのであるが、カートリッジ３６と取付座４２との間にはスペーサ４４が介在させられ、さらに、取付座４２に形成されたガイド溝４８とスペーサ４４との間に調整駒５０が介在させられている。ガイド溝４８と調整駒５０との底部の互いに接触する面は工具本体３４の中心軸線に対して傾斜させられているとともに、調整駒５０と工具本体３４との間には調整ねじ５２が介在させられている。調整ねじ５２の調整駒５０と工具本体３４とにそれぞれ螺合する２つのねじ部のピッチが互いに異ならされており（左右逆ねじとされてもよい）、調整ねじ５２の回転操作により、調整駒５０のガイド溝４８内における位置が変えられて、切刃３０の半径方向(切削工具２０の半径方向であり、以下同様とする。）の位置が調整される。また、切刃３０の軸方向(切削工具２０の軸方向であり、以下同様とする。）の位置は、カートリッジ３６に螺合され、頭部が工具本体３４の受面に当接させられた調整ねじ５４の回転操作により、カートリッジ３６の軸方向位置が変えられることにより調整される。
【００１７】
なお、軸方向に関して、切刃３０の自由端側の端がガイドパッド３２の自由端側の端より僅かに自由端側に位置するようにされているため、切削工具２０が段付下穴２に進入させられる（この方向を前進方向とする）とき、ガイドパッド３２は必ず切刃３０によって切削加工された穴(中仕上げ穴）の内周面に摺接し、切削工具２０が後退させられるとき、切刃３０はガイドパッド３２から出外れた部分の内周面を切削加工することとなる。上記調整ねじ５４の回転操作によるカートリッジ３６の軸方向位置の変更を、切刃３０の軸方向位置の調整に利用することができる。
さらに付言すれば、スペーサ４４を厚さの異なるものと交換し、あるいはスペーサ４４を研削加工することによっても、切刃３０の半径方向位置を調整することができる。
【００１８】
一方、ガイドパッド３２は、図２および図３に示すように、締付ねじ６０によって取付座６２に取り付けられているが、取付座６２とガイドパッド３２との間には図５，６に示す調整くさび６４が介在させられ、この調整くさび６４を取付座６２に沿って移動させることにより、ガイドパッド３２の半径方向位置を調整し得るようにされている。工具本体３４には、軸方向に対して傾斜した雌ねじ穴６６が形成され、その雌ねじ穴６６に調整ねじ６８が螺合されている。雌ねじ穴６６は、図５に示すように一部が切り欠かれているが、雌ねじ穴６６と調整ねじ６８とは半周を超える部分において螺合させられている。一方、調整くさび６４には、調整ねじ６８の両端面の一部ずつと係合する欠７０が形成されており、調整ねじ６８が回転操作により雌ねじ穴６６内において進退させられるにつれて、調整くさび６４が取付座６２に沿って進退させられ、それによりガイドパッド３２が平行移動により半径方向に移動させられて、半径方向位置が調整される。そのために、調整くさび６４の長手方向の中間部には長穴７２が形成され、締付ねじ６０によって調整くさび６４の移動が妨げられないようにされている。
【００１９】
ガイドパッド３２の取付座６２は図５に示すように溝状を成しているが、その取付座６２の一方の溝側面８０に図７に拡大して示すように段付部８２が形成されて、溝の幅が開口近傍部において底近傍部に比較して広くされている。一方、調整くさび６４の溝側面８０に対向するくさび側面８４には、図５および図６に示すように、長手方向のほぼ全長にわたってクーラント溝８６が形成され、このクーラント溝８６が全長にわたって上記段付部８２と対向している。クーラント溝８６は、ガイドパッド３２の内部に形成されたクーラント通路８８および調整くさび７４の長穴７２により、工具本体３４内の枝クーラント通路９０に連通させられており、枝クーラント通路９０は主クーラント通路９２に連通している。他のガイドパッド３２およびそれらのクーラント通路も同様に構成されており、主クーラント通路９２には、さらに図２に示すように、前記取付座４２の切刃３０近傍に開口する枝クーラント通路９４も連通している。結局、主クーラント通路９２には、３本の枝クーラント通路９０と１本の枝クーラント通路９４とが連通していることとなり、その上、第２段加工部２６の枝クーラント通路も連通しているのであるが、主クーラント通路９２の横断面積はこれらすべての枝クーラント通路の横断面積の和より大きく、すべての枝クーラント通路には主クーラント通路９２の内圧がそのまま作用する。そして、ガイドパッド３２のクーラント通路８８の横断面積，クーラント溝８６の横断面積，および段付部８２とガイドパッド３２の側面との間の細長い隙間（クーラント噴出口９６と称する）の開口面積は、記載の順序が後のものほど小さくなっている。したがって、クーラント噴出口９６には主クーラント通路９２の内圧がほぼそのまま作用することとなり、クーラントが勢いよく噴出する。
【００２０】
ガイドパッド３２の側面は図７(a)に示すように一平面とすることも可能であるが、図７(b)に示すように、工具本体３４の外周面と同じ半径方向位置に段付部９８を設けることが望ましい。発明者は図７(a)の形態と図７(b)の形態との両方について実験を行ったのであるが、前者の形態においては稀にではあるが細い切屑１００がクーラント噴出口９６へ侵入することがあるのに対し、後者の形態においてはそのような事態の発生が良好に回避されることが判明したのである。
【００２１】
ガイドパッド３２は、クーラント溝８６やクーラント通路８８が形成される部分である基部１０２と、小径部１０の内周面と摺接する摺接部１０４とから成っており、基部１０２は炭素鋼製であるが、摺接部１０４は超硬合金製とされ、さらに表面である摺接面１０６にはダイヤモンドライクカーボンのコーティングが施されている。ダイヤモンドライクカーボンは、耐摩耗性，耐溶着性に優れており、摩擦係数が小さいため、被加工物に疵を付けることを良好に回避することができる。
【００２２】
第２段加工部２６は、図２および図４から明らかなように、２つの切刃１１０，１１２を備えている。切刃１１０は前記大径部１２の内周面と前記肩面１４およびヌスミ１６とを切削加工するものであり、切刃１１２は面取り１８を切削加工により形成するものである。切刃１１０は、カートリッジ１１４に着脱可能に取り付けられた切削チップ１１６により形成され、切刃１１２は、カートリッジ１１８に着脱可能に取り付けられた切削チップ１２０により形成されている。切削チップ１１６とカートリッジ１１４との間には調整機構１２２が設けられて、切刃１１０の半径方向位置の調整が行われ、カートリッジ１１４および１１８と工具本体３４との間にそれぞれ調整機構１２４および１２６が設けられて、切刃１１０および１１２の軸方向位置の調整が行われる。この点は前記第１段加工部２４における切刃３０についてと同様であるため、詳細な説明は省略するが、切削チップ１１６の調整機構１２２は平行移動型とされて半径方向位置の調整に伴って切刃１１０の傾きが変化しないようにされている。
【００２３】
本実施形態においては、以上のように構成された切削工具２０が切削を行っていない無負荷状態にいおいては、図９(a)に誇張して示すように、切刃３０の旋回軌跡円の直径が５６．０２（mm)であるのに対し、切刃３０の両隣に位置するガイドパッド３２（区別するためにG１，G３で表す）の旋回軌跡円の直径は５６．００、切刃３０から直径方向に隔たった位置にあるガイドパッド３２（（G２で表す）の旋回軌跡円の直径は５５．９８とされている。ガイドパッドG１，G３の旋回軌跡円の直径が、切刃３０の旋回軌跡円の直径とガイドパッドG２の旋回軌跡円の直径との中央の大きさとされているのである。
【００２４】
この切削工具２０により中仕上げ加工が行われる際には、図９(b)に示すように、ガイドパッドG１，G２が、切刃３０の切削により形成された中仕上げ穴の内周面１３０に摺接し、ガイドパッドG３は中仕上げ穴の内周面１３０から離間した状態となる。また、切削工具２０により仕上げ加工が行われる際には、図９(c)に示すように、切削工具２０およびそれを保持する工具保持装置のたわみを無視できる状態で、切刃３０が仕上げ穴の内周面１３２を直径５６．０２に上げ切削加工し、すべてのガイドパッドG１，G２，G３は仕上げ穴の内周面１３２から離間した状態となる。以下その理由を、図１０に示すガイドパッドG１の移動イメージ図を参照しつつ説明する。
【００２５】
図１０において、二点鎖線で示す円弧は無負荷状態における切刃３０の半径方向における最先端部の旋回軌跡円を示し、同じ無負荷状態においてはガイドパッドG１が二点鎖線で示す位置にある。そして、切刃３０が段付下穴２の小径部を切削する状態においては、切削抵抗により切削工具２０がたわまされるため、ガイドパッドG１は矢印Ｅの方向に変位し、図１０に細線で示す位置において、切刃３０の切削によって形成された穴の内周面１３０に当接する。この穴の内周面は、切削抵抗の図９(b)に示すY方向の成分により変位した切刃３０によって形成されたものとみなすことができ、内径は無負荷状態における切刃３０の旋回軌跡円の直径よりは小さい。ガイドパッドG１が上記穴の内周面１３０に当接すれば、この内周面の斜面の効果により、切削抵抗の図９(b)に示すX方向の成分がY方向の成分に変換され、切削工具２０のY方向のたわみが大きくなるが、この方向のたわみは切刃３０から直径方向に隔たったガイドパッドG２が穴の内周面に当接することにより規制される。それにより、切刃３０の旋回軌跡円がさらに小さくなり、ガイドパッドG１は、結局、矢印Ｆで示す方向に変位し、実線で示す位置において安定する。切刃３０の切削抵抗に起因する切削工具２０のたわみの方向および大きさと、ガイドパッドG１，G２の周方向および半径方向の位置との関係が、以上の現象が生じることを許容するものである限り、切刃３０によって形成された中仕上げ穴の内周面上をガイドパッドG１，G２が摺動する状態で段付下穴２の小径部１０の中仕上げ加工が行われることとなる。中仕上げ穴の内径は、上記のように切削工具２０がたわんだ状態におけるガイドパッドG１，G２の旋回軌跡円の直径５６．００となるのであり、無負荷状態におけるガイドパッドG１の旋回軌跡円の直径５６．００とガイドパッドG２の旋回軌跡円の直径５５．９８とはこのことを考慮して決定される。
【００２６】
上記の状態で小径部１０の中仕上げが進行し、ついに切刃３０が小径部１０の大径部１２側とは反対側の端から突出すれば、切削工具２０のたわみが解消され、図９(c)に示すように、切刃３０が無負荷状態における旋回軌跡円を描くこととなる。この状態ではガイドパッドG１，G３は勿論、ガイドパッドG２も仕上げ穴の内周面１３２から離間する。
そして、この状態で切削工具２０が後退させられ、やがて切刃３０が中仕上げ穴の内周面１３０を切削加工することとなるが、この加工代は微小であるため切削抵抗が小さく、切削工具２０のたわみが無視し得るほど小さくて済み、仕上げ穴の直径(小径部１０の直径）は、無負荷状態における切刃３０の旋回軌跡円の直径と実質的に等しい大きさとなる。
【００２７】
以上、段付下穴２の小径部１０の加工について詳細に説明したが、本実施形態においては、切削工具２０が第１段加工部２４に加えて第２段加工部２６を備えており、小径部１０の中仕上げ加工が完了して切刃３０が小径部１０から突出した後に、切刃１１０が大径部１２の中仕上げ加工を開始するようにされている。ただし、切刃１１０による中仕上げ加工の間も、切削工具２０のたわみが第１段加工部２４のガイドパッド３２（G１，G２）により微小量に規制されているため、第２段加工部２６による中仕上げ加工に関しても第１段加工部２４による中仕上げ加工におけるのと同様の効果が得られる。
【００２８】
本実施形態においては、小径部１０の中仕上げのためのガイドパッド３２が、幸便に大径部１２の中仕上げのためのガイドパッドとして利用されると考えることができ、その観点からすれば、切刃３０の切削により形成された小径部１０の中仕上げ穴が、切刃１１０が大径部１２の中仕上げ加工を行う際の基準穴として機能することとなる。第２段加工部２６による大径部１２の加工方法も本発明の実施形態（第２実施形態）なのである。
【００２９】
なお、小径部１０の中仕上げ加工が行われている間に、大径部１２の内周面の中仕上げ加工が並行して行われるようにすることも可能であり、実際そのようにしても類似の効果が得られる。そうであるのに、図１および図２に示す実施形態において上記のように、小径部１０の中仕上げ加工の完了後に大径部１２の中仕上げ加工が開始されるように、第１段加工部２４と第２段加工部２６との軸方向の間隔が定められているのは、第１段加工部２４による加工と第２段加工部２６による加工とが互いに影響を及ぼし合うことによって、加工精度が低下することを回避するためである。
【００３０】
やがて切削チップ１１６が肩面１４の切削加工を行う状態となるが、肩面１４の加工が所定量に達したならば、切削工具２の前進が停止させられ、その状態切削工具２０の回転が続行される。そのため、大径部１２の１カ所が他の部分に比較して多く切削され、肩面１４に隣接する部分の直径が大きくなって、切削工具２０の中仕上げ時における切削抵抗に起因するたわみが解消される。大径部１２に関しては、この工程がたわみ解消工程なのであり、この工程の実施によって、切削チップ１１６の旋回軌跡円の直径が増加し、仕上げ加工を行う状態となる。この状態で、切削工具２０が後退させられれば、大径部１２の仕上げ加工が行われるが、この仕上げ加工の加工代も微小であるため、大径部１２の内径は無負荷状態における切削チップ１１６の旋回軌跡円の直径と実質的に等しくなる。
【００３１】
以上説明したように、切削工具２０の前進時に中仕上げ加工を行い、後退時に仕上げ加工を行えば、段付下穴２を段付仕上げ穴４に精度良く仕上げることができる。段付下穴２は鋳造によって形成されたものであるため、切削加工により形成されたものに比較して、寸法精度が低く、かつ、部分的な凹凸が存在することが多い。したがって、ガイドパッドを備えない中ぐり工具で切削加工すれば、仕上げ穴の寸法が局部的に変動し、かつ、仕上げ穴間における寸法のばらつきが大きくなる不都合があるのであるが、本実施形態の方法によれば、切削工具２０の往復により十分に高い加工精度を得ることができる。
しかも、仕上げ加工時にはガイドパッドG１，G２，G３がいずれも仕上げ穴の内周面１３２には接触しないため、ガイドパッド３２の擦過痕が残る恐れもない。
また、ガイドパッド３２と小径部１０の内周面との間には微小な隙間が存在することとなるが、本実施形態においては、ガイドパッド３２のリーディングエッジ（回転方向に関して先端側の縁）の直前に、クーラント噴出口９６から激しくクーラントが噴出させられるため、このクーラントの噴流によって、切屑がガイドパッド３２と仕上げ穴の内周面１３２との間に侵入することが防止され、切屑の噛込みに起因する擦過痕の発生も良好に防止される。
【００３２】
なお、以上の説明から明らかなように、ガイドパッドG３は中仕上げ加工工程においても、仕上げ加工工程においても、穴の内周面に接触することはなく、切削加工のみを考えれば不要なのであるが、本実施形態においては、切削工具２０の回転中心の位置を検出する目的で設けられており、ガイドパッドG３の旋回軌跡円がガイドパッドG１の回転軌跡円と一致するようにガイドパッドG３の位置が決定されている。
【００３３】
さらに付言すれば、上記のように切削工具２０の回転中心の位置を検出する目的でG３を設けるのであれば、図１１(a)に例示するように、無負荷状態におけるガイドパッドG１，G２，G３すべての旋回軌跡円が一致するように決定する方が合目的的であり、実際そのようにすることも可能であって、この態様も本発明の実施形態である。
そうであるにもかかわらず、上記第１実施形態において、無負荷状態におけるガイドパッドG１，G３の旋回軌跡円が、ガイドパッドG２の旋回軌跡円の直径より大きくされている。その理由は以下のようである。
【００３４】
切削工具２０のたわみはＹ方向とＸ方向とのたわみの合成であり、切削抵抗により発生するが、切削抵抗が小さい場合には切刃３０の旋回軌跡が中仕上げ径となるのに必要なたわみが発生しないことがあり得る。切刃３０の旋回軌跡が中仕上げ径となるためにはＹ方向のたわみが発生すればよく、Ｘ方向のたわみは小さい方がＸ,Ｙ両方向の構成である切削工具２０のたわみが小さくて済み、切削抵抗が小さい場合に切刃３０の旋回軌跡が中仕上げ径となることを保証し易い。また、ガイドパッドＧ２のＸ方向の移動量も小さくなるため、図１１(b)と図９(b)とを比較すれば明らかなように、ガイドパッドＧ２のリーディングエッジが局部的に穴の内周面に強く当たる傾向を緩和することができ、図１１の場合に比較して図９の場合の方が有利なのである。
【００３５】
もっとも、ガイドパッドG１，G２，G３の無負荷状態における旋回軌跡円の直径を上記実施形態におけるより大きく、例えば、５６．０１にすれば、ガイドパッドG２のリーディングエッジの影響を緩和することができる。しかし、そのようにすれば、仕上げ加工時に、切刃３０が中仕上げ穴の内周面に切り込まず、仕上げ加工が行われなくなる恐れがある。したがって、仕上げ加工のための切込みが行われることが保証され、かつ、仕上げ加工時における切削工具２０のたわみが無視できるほど小さくなるように、中仕上げ穴の直径と仕上げ穴の直径との差が選定されることが必要である。
また、ガイドパッドG１，G２に案内機能を果たさせるためには、切削工具２０がある程度たわむことが必要であるため、切削工具２０の１回転当たりの送り量が過小であってはならず、本実施形態においては１回転当たりの送り量が０．２（mm)とされる。
なお、これまでの説明は、中仕上げ穴を仕上げ穴に切削加工する際の加工代は全周にわたって均一であるかのように行ったが、厳密には均一ではない。したがって、この不均一が存在してもなお、上記の条件が満たされるように、中仕上げ穴の直径と仕上げ穴の直径との差が選定され、それに基づいてガイドパッドG１，G２，G３の無負荷状態における旋回軌跡円の直径が決定されることが必要である。
【００３６】
図１２に本発明の第３実施形態において使用される切削工具１４０を示す。本切削工具１４０は、第２段加工部を備えない点と、第１段加工部に相当する部分の構成とにおいて、前記第１および第２実施形態において使用される前記切削工具２０と異なっている。すなわち、自由端部に、図１４に示すように、切刃１４２，１４４とガイドパッド１４６とを９０°間隔で２つずつ備える点とにおいて異なっているのである。その他の点においては、切削工具２０と同様であるため、対応する部分に同一の符号を付して説明を省略する。
【００３７】
本実施形態においては、切削工具１４０の軸方向において、切刃１４２が切刃１４４より自由端側の位置に設けられており、中仕上げ加工が切刃１４２により行われ、仕上げ加工が切刃１４４により行われる。中仕上げ加工時には切削工具１４０のたわみが、２つのガイドパッド１４６の、中仕上げ穴の内周面１５０への摺接により規制され、仕上げ加工時には２つのガイドパッド１４６および切刃１４２が仕上げ穴の内周面から離間した状態で、切刃１４４により仕上げ切削加工が行われる。２つのガイドパッド１４６の切削工具１４０の周方向における配設位置は前記切削工具２０における配設位置とは異なるものの、切刃１４２の切削抵抗の方向が、工具本体３４を図１５に矢印Gで示す方向にたわませる方向であり、このたわみが２つのガイドパッド１４６の中仕上げ穴の内周面１５０への摺接により規制されることに変わりはない。
【００３８】
ただし、無負荷状態において、切刃１４２の旋回軌跡円の直径が仕上げ穴のねらい寸法である５６．００とされているのに対し、その切刃１４２の９０°後方（回転方向において）に位置するガイドパッド１４６（G１で表す）の旋回軌跡円の直径が５５．９６、１８０°後方に位置する（切刃１４２に対して直径方向に隔たった）ガイドパッド１４６（G２で表す）の旋回軌跡円の直径が５６．００、切刃１４４の旋回軌跡円の直径が５６．０２とされている。すなわち、ガイドパッドG２と切刃１４２との旋回軌跡円の直径が等しくされるとともに、切刃１４４の旋回軌跡円の直径がそれらより大きくされる一方、切刃１４４とは直径方向に離れたガイドパッドG１の旋回軌跡円の直径がそれらより小さくされているのである。しかし、切刃１４２により中仕上げ加工が行われる状態では、切削工具１４０のたわみにより、切刃１４４の旋回軌跡円の直径が切刃１４２の旋回軌跡円の直径より小さくなって切刃１４４は中仕上げ穴の内周面１５０から離間した状態に保たれ、ガイドパッドG１は中仕上げ穴の内周面１５０に摺接する状態となる。
さらに付言すれば、切削抵抗のX方向の成分と中仕上げ穴の内周面１５０とが直交するため、前記実施形態におけるように、切削抵抗のX方向の成分をY方向の成分に変更する斜面の効果は実質上ないと考えて差し支えない。
【００３９】
中仕上げ加工の進行により切刃１４２が中仕上げ穴から突出すれば、切削工具１４０のたわみが解消する。したがって、切削工具１４０が後退させられれば、図１５(c)に示すように、切刃１４４により仕上げ穴の内周面１５２の仕上げ切削加工が行われる状態となる。この状態においては、切刃１４２およびガイドパッドG１，G２がいずれも仕上げ穴の内周面１５２から離間した状態に保たれる。
以上の説明から明らかなように、本実施形態においては、切刃１４２が切削工具１４０の下穴に対する相対回転方向において２つのガイドパッド１４６に先行する第１切刃として機能し、切刃１４４がその第１切刃に先行する第２切刃として機能する。
【００４０】
本実施形態におけるように、中仕上げ切削加工と仕上げ切削加工とをそれぞれ専用の切刃に行わせることは、被加工物が鋳鉄製等、切刃を摩耗させ易い材料から成るものである場合に特に有効である。
なお、本実施形態における切刃１４２，１４４およびガイドパッド１４６の配設位置を第１段加工部２４および第２段加工部２６を有する切削工具について採用することも可能である。
【００４１】
さらに付言すれば、前記第２実施形態においては、１つの切削工具２０の第１段加工部２４の切刃３０によって形成された小径部１０の中仕上げ穴が、第２段加工部２６の切刃１１０による大径部１２の中仕上げ加工のための基準穴として使用されていたが、これは不可欠ではなく、別の切削工具により予め形成されている穴を基準穴として使用することも可能である。
【符号の説明】
【００４２】
２：段付下穴    ４：段付仕上げ穴    １０：小径部    １２：大径部    １４：肩面    ２０：切削工具    ２２：テーパシャンク    ２４：第１段加工部    ２６：第２段加工部    ３０:切刃    ３２：ガイドパッド    ３４：工具本体    ３６：カートリッジ    ３８：切削チップ    ４０：締付ねじ    ４２：取付座    ４４：スペーサ    ４６：調整駒    ４８：ガイド溝    ５０：調整駒    ５２：調整ねじ    ５４：調整ねじ    ６０：締付ねじ    ６２：取付座    ６４：調整くさび    ６６：雌ねじ穴    ６８：調整ねじ    ７０：切欠    ８０：溝側面    ８２：段付部    ８４：くさび側面    ８６：クーラント溝    ８８：クーラント通路    ９０：枝クーラント通路    ９２：主クーラント通路    ９４：枝クーラント通路    ９６：クーラント噴出口    ９８：段付部    １００：切屑    １０６：摺接面    １１０：切刃    １１２：切刃    １２２：調整機構    １２４：調整機構    １２６：調整機構    １３０：中仕上げ穴の内周面    １３２：仕上げ穴の内周面
【図１】
2014054677.tif 000003
【図２】
2014054677.tif 000004
【図３】
2014054677.tif 000005
【図４】
2014054677.tif 000006
【図５】
2014054677.tif 000007
【図６】
2014054677.tif 000008
【図７】
2014054677.tif 000009
【図８】
2014054677.tif 000010
【図９】
2014054677.tif 000011
【図１０】
2014054677.tif 000012
【図１１】
2014054677.tif 000013
【図１２】
2014054677.tif 000014
【図１３】
2014054677.tif 000015
【図１４】
2014054677.tif 000016
【図１５】
2014054677.tif 000017